(57)【特許請求の範囲】
【請求項１】
ケースと、このケースに支持軸によって回転可能に取り付けられて前記ケースを開閉可能に塞ぐ蓋体と、前記支持軸を中心に前記蓋体と共に回転する連動歯車部と、この連動歯車部の回転を制動するためのダンパー歯車部を有するダンパー部材と、前記連動歯車部の回転を前記ダンパー部材の前記ダンパー歯車部に伝達する伝達機構部とを備えた蓋開閉装置であって、
前記伝達機構部は、前記連動歯車部と前記ダンパー歯車部とに巻回されて前記連動歯車部の回転を前記ダンパー歯車部に伝達する伝達ベルトを有し、この伝達ベルトは、前記連動歯車部に常に噛み合う第１の伝達歯部と、前記蓋体が閉じ終わるときに前記ダンパー歯車部に噛み合う第２の伝達歯部と、前記蓋体が開き終わるときに前記ダンパー歯車部に噛み合う第３の伝達歯部とを備えるとともに、前記蓋体が閉じ終わるとき及び開き終わるとき以外は前記第２の伝達歯部及び第３の伝達歯部のいずれにも前記ダンパー歯車部が噛み合わないことを特徴とする蓋開閉装置。
【発明の詳細な説明】
【技術分野】
【０００１】
この発明は、電子ピアノや電子オルガンなどの鍵盤楽器または音響機器などに用いられる蓋開閉装置に関する。
【背景技術】
【０００２】
従来、蓋開閉装置においては、特許文献１に記載されているように、ケースに蓋体を支持軸によって回転可能に取り付け、この蓋体に連動歯車部を設け、この連動歯車部に噛み合って回転するダンパー歯車部を有するダンパー部材を連動歯車部の外周に沿って移動可能に取り付けた構成のものが知られている。
【先行技術文献】
【特許文献】
【０００３】
【特許文献１】特開平０６−３３９７２号公報
【０００４】
この種の蓋開閉装置は、連動歯車部にダンパー部材のダンパー歯車部が噛み合った状態で蓋体を開閉する際に、その初期状態からダンパー部材が蓋体の回転に伴って連動歯車部の外周に沿って移動することにより、ダンパー部材のダンパー機能を不能にし、その後ダンパー部材の移動を阻止して蓋体に対するダンパー機能を発揮させるように構成されている。
【発明の概要】
【発明が解決しようとする課題】
【０００５】
しかしながら、このような従来の蓋開閉装置では、蓋体を開く際に、その初期状態からダンパー部材が蓋体の回転に伴って連動歯車部の外周に沿って移動することにより、ダンパー部材のダンパー機能を不能にしているので、蓋体を開き始める際に、蓋体を容易に開くことができても、蓋体を閉じる際には、蓋体の重量によって蓋体が急激に閉じるため、蓋体の重量が重いと、手や指を挟んで怪我をする危険性がある。
【０００６】
この発明が解決しようとする課題は、蓋体の開閉操作性が良く、安全に蓋体を開閉することができる蓋開閉装置を提供することである。
【課題を解決するための手段】
【００１０】
この発明は、上記課題を解決するために、次のような構成要素を備えている。
請求項１に記載の発明は、ケースと、このケースに支持軸によって回転可能に取り付けられて前記ケースを開閉可能に塞ぐ蓋体と、前記支持軸を中心に前記蓋体と共に回転する連動歯車部と、この連動歯車部の回転を制動するためのダンパー歯車部を有するダンパー部材と、前記連動歯車部の回転を前記ダンパー部材の前記ダンパー歯車部に伝達する伝達機構部とを備えた蓋開閉装置であって、前記伝達機構部は、前記連動歯車部と前記ダンパー歯車部とに巻回されて前記連動歯車部の回転を前記ダンパー歯車部に伝達する伝達ベルトを有し、この伝達ベルトは、前記連動歯車部に常に噛み合う第１の伝達歯部と、前記蓋体が閉じ終わるときに前記ダンパー歯車部に噛み合う第２の伝達歯部と、前記蓋体が開き終わるときに前記ダンパー歯車部に噛み合う第３の伝達歯部とを備えるとともに、前記蓋体が閉じ終わるとき及び開き終わるとき以外は前記第２の伝達歯部及び第３の伝達歯部のいずれにも前記ダンパー歯車部が噛み合わないことを特徴とする蓋開閉装置である。
【発明の効果】
【００１１】
この発明によれば、蓋体が開閉する際において、蓋体が閉じ終わるときにダンパー部材によって蓋体の回転動作を制動することができると共に、蓋体が開き終わるときにもダンパー部材によって蓋体の回転動作を制動することができる。このため、蓋体が閉じ終わるときおよび蓋体が開き終わるときに、蓋体をゆっくり回転させることができるので、蓋体の開閉操作性が良く、蓋体で手や指を挟んで怪我をすることがなく、安全に蓋体を開閉することができる。
【図面の簡単な説明】
【００１２】
【図１】この発明を鍵盤楽器に適用した実施形態１を示した断面図である。
【図２】図１に示された鍵盤楽器の蓋開閉装置における連動歯車部を示した拡大正面図である。
【図３】図１に示された鍵盤楽器の蓋開閉装置におけるダンパー部材を示した拡大裏面図である。
【図４】図３に示されたダンパー部材を示した拡大側面図である。
【図５】図１に示された鍵盤楽器において鍵盤蓋が完全に開いた状態を示した断面図である。
【図６】図１に示された鍵盤楽器において鍵盤蓋が開閉途中のほぼ中間位置に開いた状態を示した断面図である。
【図７】この発明を鍵盤楽器に適用した実施形態２を示した断面図である。
【図８】図７に示された鍵盤楽器の蓋開閉装置における連動歯車部を示した拡大正面図である。
【図９】図７に示された鍵盤楽器の蓋開閉装置における伝達ベルトを示した拡大正面図である。
【図１０】図７に示された鍵盤楽器において鍵盤蓋が完全に開いた状態を示した断面図である。
【図１１】図７に示された鍵盤楽器において鍵盤蓋が開閉途中のほぼ中間位置に開いた状態を示した断面図である。
【図１２】この発明を鍵盤楽器に適用した実施形態３を示した断面図である。
【図１３】図１２に示された鍵盤楽器の蓋開閉装置における連動歯車部を示した拡大正面図である。
【図１４】図１２に示された鍵盤楽器の蓋開閉装置における伝達ベルトを示した拡大正面図である。
【図１５】図１２に示された鍵盤楽器において鍵盤蓋が完全に開いた状態を示した断面図である。
【図１６】図１２に示された鍵盤楽器において鍵盤蓋が開閉途中のほぼ中間位置に開いた状態を示した断面図である。
【発明を実施するための形態】
【００１３】
（実施形態１）
以下、図１〜図６を参照して、この発明を鍵盤楽器に適用した実施形態１について説明する。
この鍵盤楽器は、図１に示すように、楽器ケース１を備えている。この楽器ケース１は、脚部を兼ねる一対の側板２と、この一対の側板２間における上部側に設けられた棚板である底板３と、この底板３の前端部（図１では左端部）上に起立して設けられた前板４と、底板３の後端部（図１では右端部）上に起立して設けられた後板５とを備えている。
【００１４】
これにより、楽器ケース１は、上部が開放された箱形状をなし、この箱形状の部分が一対の側板２によって支持された構成になっている。この楽器ケース１の内部には、図１に示すように、鍵盤部６が設けられている。この鍵盤部６は、白鍵７ａおよび黒鍵７ｂを備え、これら白鍵７ａおよび黒鍵７ｂが鍵盤シャーシ（図示せず）上に上下方向に回転可能に取り付けられた状態で並列に多数配列された構成になっている。
【００１５】
また、この楽器ケース１の上部には、図１に示すように、鍵盤部６を開閉自在に覆う鍵盤蓋８が蓋開閉装置１０によって開閉可能に設けられている。この鍵盤蓋８は、蓋開閉装置１０によって上下方向に回転することにより、楽器ケース１の上部に配置されて楽器ケース１を閉じた際に、鍵盤部６を覆い隠し、図５に示すように、楽器ケース１の後方（図５では右側）に少し傾いた状態で起立して楽器ケース１を開いた際に、鍵盤部６を楽器ケース１の上方に露出させるように構成されている。
【００１６】
この鍵盤蓋８の蓋開閉装置１０は、図１に示すように、鍵盤蓋８の下面に取り付けられたアーム部材１１と、このアーム部材１１に取り付けられて楽器ケース１内における側板２に回転自在に取り付けられた支持軸１２と、このアーム部材１１に取り付けられて支持軸１２を中心に鍵盤蓋８と共に回転する連動歯車部１３と、楽器ケース１の側板２の内面に設けられて鍵盤蓋８の開閉動作を制動するためのダンパー部材１５と、連動歯車部１３の回転をダンパー部材１５のダンパー歯車部１６に伝達するための伝達機構部１４とを備えている。
【００１７】
これにより、鍵盤蓋８は、図１に示すように、支持軸１２を中心にアーム部材１１と共に上下方向に回転するように構成されている。この場合、アーム部材１１は、鍵盤蓋８の下面における後部（図１では右側部）に取り付けられて、楽器ケース１内の後部に上方から挿入し、この挿入した部分に支持軸１２が取り付けられた構成になっている。
【００１８】
支持軸１２は、図１に示すように、楽器ケース１内に挿入されたアーム部材１１の下部に固定された状態で取り付けられている。この支持軸１２は、楽器ケース１内の後部（図１では右側部）に位置する側板２に回転自在に取り付けられ、これによりアーム部材１１を楽器ケース１に対して支持し、この状態でアーム部材１１を鍵盤蓋８と共に上下方向に回転させるように構成されている。
【００１９】
連動歯車部１３は、図１および図２に示すように、その回転中心が支持軸１２に位置した状態で、アーム部材１１に取り付けられ、支持軸１２を中心にアーム部材１１が鍵盤蓋８と共に回転する際に、アーム部材１１と共に約１２０度の角度範囲で回転するように構成されている。すなわち、この連動歯車部１３は、図１および図２に示すように、全体がほぼ扇形状に形成されており、この扇形状の円弧部における両側には、第１、第２の伝達歯部１３ａ、１３ｂが形成されている。これにより、この連動歯車部１３は、その扇形状の円弧部における中間部分に歯部が形成されていない構成になっている。
【００２０】
ダンパー部材１５は、図３および図４に示すように、ハウジング１５ａ内に回転軸１５ｂが外部に突出して設けられ、この回転軸１５ｂにオイルや摩擦部材、あるいはばね部材（いずれも図示せず）によって負荷を加えることにより、制動機能を有するものである。このダンパー部材１５は、ハウジング１５ａの外部に突出した回転軸１５ｂに、連動歯車部１３に噛み合うダンパー歯車部１６が設けられた構成になっている。また、このハウジング１５ａの上下部には、フランジ部１５ｃがそれぞれ突出して設けられている。
【００２１】
ところで、伝達機構部１４は、図１、図２および図５に示すように、連動歯車部１３の回転をダンパー部材１５のダンパー歯車部１６に伝達するために、連動歯車部１３のほぼ扇形状の上部側に位置する箇所に設けられてダンパー歯車部１６に噛み合う第１の伝達歯部１３ａと、連動歯車部１３のほぼ扇形状の下部側に位置する箇所に設けられてダンパー歯車部１６に噛み合う第２の伝達歯部１３ｂとを備えている。
【００２２】
すなわち、この伝達機構部１４は、図１に示すように、鍵盤蓋８が閉じ終わるときに第１の伝達歯部１３ａがダンパー歯車部１６に噛み合い、図５に示すように、鍵盤蓋８が開き終わるときに第２の伝達歯部１３ｂがダンパー歯車部１６に噛み合い、図６に示すように、鍵盤蓋８が開閉途中の状態のときに、第１、第２の各伝達歯部１３ａ、１３ｂがダンパー部材１５のダンパー歯車部１６に噛み合わずに空転するように構成されている。
【００２３】
これにより、ダンパー部材１５は、図１に示すように、鍵盤蓋８が閉じ終わる際、および鍵盤蓋８が開き始める際に、連動歯車部１３の第１の伝達歯部１３ａがダンパー歯車部１６に噛み合うことにより、鍵盤蓋８の開閉動作を制動するように構成されている。また、このダンパー部材１５は、図５に示すように、鍵盤蓋８が開き終わる際、および鍵盤蓋８が閉じ始める際に、連動歯車部１３の第２の伝達歯部１３ｂがダンパー歯車部１６に噛み合うことにより、鍵盤蓋８の開閉動作を制動するように構成されている。
【００２４】
さらに、このダンパー部材１５は、鍵盤蓋８が閉じた状態から開き始めて、図１に２点鎖線で示すように所定角度（例えば約１０度）に開いた後に、鍵盤蓋８がほぼ垂直に起立するまでの間、および鍵盤蓋８が開いた状態から閉じ始めて、図５に２点鎖線で示すようにほぼ垂直に起立した後に、鍵盤蓋８が所定角度（約１０度）に閉じるまでの間においては、図６に示すように、連動歯車部１３の第１、第２の各伝達歯部１３ａ、１３ｂがダンパー歯車部１６に噛み合わずに空転することにより、鍵盤蓋８の開閉動作を制動せず、鍵盤蓋８の開閉動作に負荷を与えないように構成されている。
【００２５】
次に、この鍵盤蓋８の蓋開閉装置１０の作用について説明する。
鍵盤蓋８を開いた状態から閉じる場合には、図５に示すように、鍵盤蓋８の先端部（図５では上端部）を手前側に引いて傾ける。このときには、連動歯車部１３の下部側に位置する第２の伝達歯部１３ｂがダンパー部材１５のダンパー歯車部１６に噛み合っている。この状態で、鍵盤蓋８の先端部（図５では上端部）を引き下げて鍵盤蓋８を閉じる方向に傾けると、鍵盤蓋８がアーム部材１１の支持軸１２を中心に反時計回りに回転する。
【００２６】
このときには、アーム部材１１に設けられた連動歯車部１３も、鍵盤蓋８と共に支持軸１２を中心に反時計回りに回転する。このため、ダンパー部材１５のダンパー歯車部１６は、連動歯車部１３の第２の伝達歯部１３ｂに噛み合って回転する。これにより、ダンパー部材１５によって連動歯車部１３に負荷が加わり、連動歯車部１３の回転が制動される。このため、鍵盤蓋８が閉じる方向に急激に回転することがなく、ゆっくり回転する。
【００２７】
そして、図５に２点鎖線で示すように、鍵盤蓋８が閉じる方向に回転してほぼ垂直に起立すると、これに伴ってアーム部材１１が支持軸１２を中心に回転し、このアーム部材１１に設けられた連動歯車部１３も回転する。このときには、連動歯車部１３の下部側に位置する第２の伝達歯部１３ｂとダンパー部材１５のダンパー歯車部１６との噛み合いが徐々に解除される。このため、連動歯車部１３に付与されるダンパー部材１５の負荷が徐々に軽減され、鍵盤蓋８がその自重によって回転を開始する。
【００２８】
この状態で鍵盤蓋８が更に回転して閉じるときには、図６に示すように、連動歯車部１３の第１、第２の各伝達歯部１３ａ、１３ｂのいずれもが、ダンパー歯車部１６に噛み合っていないため、ダンパー部材１５による負荷が連動歯車部１３に加わらず、鍵盤蓋８がその自重によって徐々に速く回転する。
【００２９】
この後、図１に示すように、鍵盤蓋８が完全に閉じる直前、つまり図１に２点鎖線で示すように、鍵盤蓋８が約１０度に開いた状態になると、連動歯車部１３の上部側に位置する第１の伝達歯車１３ａがダンパー部材１５のダンパー歯車部１６に徐々に噛み合う。このため、連動歯車部１３には、ダンパー部材１５によって負荷が徐々に加わることになるので、鍵盤蓋８を閉じる力が徐々に重くなり、鍵盤蓋８の閉じる動作が徐々に遅くなる。
【００３０】
そして、図１に示すように、鍵盤蓋８が完全に閉じる際には、連動歯車部１３にダンパー部材１５の負荷が十分に付与されることになり、これに伴って鍵盤蓋８を閉じる力も重くなり、鍵盤蓋８がゆっくり閉じる。これにより、鍵盤蓋８が完全に閉じる際に、鍵盤蓋８が急激に回転することがないので、使用者が鍵盤蓋８によって手や指を挟んで怪我をする危険性が少なく、安全に鍵盤蓋８を閉じることができる。
【００３１】
また、鍵盤蓋８を閉じた状態から開く際には、図１に示すように、鍵盤蓋８の先端部（図１では左端部）を上に持ち上げる。このときには、連動歯車部１３の上部側に位置する第１の伝達歯部１３ａがダンパー部材１５のダンパー歯車部１６に噛み合っている。この状態で、鍵盤蓋８の先端部（図１では左端部）を持ち上げて鍵盤蓋８を開く方向に傾けると、鍵盤蓋８がアーム部材１１の支持軸１２を中心に時計回りに回転する。
【００３２】
このときには、アーム部材１１に設けられた連動歯車部１３も、鍵盤蓋８と共に支持軸１２を中心に時計回りに回転する。このため、ダンパー部材１５のダンパー歯車部１６は、連動歯車部１３の第１の伝達歯部１３ａに噛み合って回転する。これにより、ダンパー部材１５によって連動歯車部１３に負荷が加わり、連動歯車部１３の回転が制動される。このため、鍵盤蓋８が開く方向に急激に回転することがなく、ゆっくり回転する。
【００３３】
そして、図１に２点鎖線で示すように、鍵盤蓋８が開く方向に回転して約１０度の角度に開いた状態になると、連動歯車部１３の上部側に位置する第１の伝達歯部１３ａとダンパー部材１５のダンパー歯車部１６との噛み合いが徐々に解除される。このため、連動歯車部１３に付与されるダンパー部材１５の負荷が徐々に軽減される。これにより、鍵盤蓋８はその自重に抗して持ち上げられると、図１において時計回りに回転を開始する。
【００３４】
この状態で鍵盤蓋８が更に回転して開く際には、図６に示すように、連動歯車部１３の第１、第２の各伝達歯部１３ａ、１３ｂのいずれもが、ダンパー歯車部１６に噛み合っていないため、ダンパー部材１５による負荷が連動歯車部１３に加わらず、鍵盤蓋８がその自重に抗して持ち上げられることにより、円滑に回転する。
【００３５】
この後、図５に示すように、鍵盤蓋８が完全に開ききる直前、つまり図５に２点鎖線で示すように、鍵盤蓋８がほぼ垂直に起立した状態になると、連動歯車部１３の下部側に位置する第２の伝達歯車１３ｂがダンパー部材１５のダンパー歯車部１６に徐々に噛み合う。このため、連動歯車部１３には、ダンパー部材１５によって負荷が徐々に加わることになるので、鍵盤蓋８を開く力が徐々に重くなり、鍵盤蓋８の開く動作が徐々に遅くなる。
【００３６】
そして、図５に示すように、鍵盤蓋８が完全に開く際には、連動歯車部１３にダンパー部材１５の負荷が十分に付与されることになり、これに伴って鍵盤蓋８を開く力も重くなるので、鍵盤蓋８がゆっくり開く。これにより、鍵盤蓋８が完全に開く際に、鍵盤蓋８が急激に回転することがないので、安全に鍵盤蓋８を開くことができる。
【００３７】
このように、この鍵盤蓋８の蓋開閉装置１０によれば、楽器ケース１に鍵盤蓋８を開閉可能に取り付けるための支持軸１２を中心に鍵盤蓋８と共に回転する連動歯車部１３の回転を、ダンパー部材１５のダンパー歯車部１６に伝達する伝達機構部１４が、鍵盤蓋８の閉じ終わるときおよび鍵盤蓋８の開き終わるときに、連動歯車部１３の回転をダンパー部材１５のダンパー歯車部１６に伝達するように構成されていることにより、鍵盤蓋８の開閉操作性が良く、安全に鍵盤蓋８を開閉することができる。
【００３８】
すなわち、この鍵盤蓋８の蓋開閉装置１０では、鍵盤蓋８が開閉する際において、鍵盤蓋８が閉じ終わるときにダンパー部材１５が鍵盤蓋８に負荷を与えて鍵盤蓋８の回転動作を制動することができると共に、鍵盤蓋８が開き終わるときにもダンパー部材１５が鍵盤蓋８に負荷を与えて鍵盤蓋８の回転動作を制動することができる。このため、鍵盤蓋８が閉じ終わるとき、および鍵盤蓋８が開き終わるときに、鍵盤蓋８をゆっくり回転させることができるので、鍵盤蓋８の開閉操作性が良く、鍵盤蓋８で手や指を挟んで怪我をすることがなく、安全に鍵盤蓋８を開閉することができる。
【００３９】
この場合、連動歯車部１３の回転をダンパー部材１５のダンパー歯車部１６に伝達する伝達機構部１４は、連動歯車部１３の上部側に位置する箇所に設けられて鍵盤蓋８が閉じ終わるときにダンパー歯車部１６に噛み合う第１の伝達歯部１３ａと、連動歯車部１３の下部側に位置する箇所に設けられて鍵盤蓋８が開き終わるときにダンパー歯車部１６に噛み合う第２の伝達歯部１３ｂとを備えているので、鍵盤蓋８が閉じ終わるときおよび鍵盤蓋８が開き終わるときに、ダンパー部材１５によって連動歯車部１３の回転を確実に制動することができる。
【００４０】
すなわち、鍵盤蓋８を閉じる際において、鍵盤蓋８が閉じ終わるときには、連動歯車部１３の上部側に位置する箇所に設けられた第１の伝達歯部１３ａがダンパー部材１５のダンパー歯車部１６に噛み合うことにより、鍵盤蓋８が閉じ終わるときにダンパー部材１５によって連動歯車部１３の回転を確実に制動して、鍵盤蓋８をゆっくり回転させて閉じることができる。これにより、鍵盤蓋８の開閉操作性が良く、安全に鍵盤蓋８を閉じることができる。
【００４１】
また、鍵盤蓋８が開き終わるときには、連動歯車部１３の下部側に位置する箇所に設けられた第２の伝達歯部１３ｂがダンパー部材１５のダンパー歯車部１６に噛み合うことにより、鍵盤蓋８が開ききるときにダンパー部材１５によって連動歯車部１３の回転を確実に制動して、鍵盤蓋８をゆっくり回転させて開くことができる。これにより鍵盤蓋８の開閉操作性が良く、安全に鍵盤蓋８を開くことができる。
【００４２】
（実施形態２）
次に、図７〜図１１を参照して、この発明を鍵盤楽器に適用した実施形態２について説明する。なお、図１〜図６に示された実施形態１と同一部分には同一符号を付して説明する。
この鍵盤楽器は、図７に示すように、蓋開閉装置２０が実施形態１と異なる構成であり、これ以外は実施形態１とほぼ同じ構成になっている。
【００４３】
すなわち、この蓋開閉装置２０は、図７に示すように、連動歯車部２２の回転をダンパー部材１５のダンパー歯車部１６に伝達する伝達機構部２１を備えている。この場合、伝達機構部２１は、連動歯車部２２とダンパー歯車部１６とに巻回された伝達ベルト２３を備えている。この伝達ベルト２３は、耐摩耗性を有する材料からなり、図７および図９に示すように、連動歯車部２２とダンパー歯車部１６とに噛み合う噛合歯部２４が伝達ベルト２３に沿って連続して形成された構成になっている。
【００４４】
また、連動歯車部２２は、図８に示すように、全体がほぼ円形状に形成され、その回転中心部に支持軸１２が固定された状態で取り付けられている。これにより、この連動歯車部２２は、実施形態１と同様、鍵盤蓋８が開閉する際に、支持軸１２を中心にアーム部材１１が鍵盤蓋８と共に回転することにより、このアーム部材１１の回転に伴って約１２０度の角度範囲で回転するように構成されている。
【００４５】
この連動歯車部２２の所定箇所には、図８に示すように、鍵盤蓋８が閉じ終わるときおよび鍵盤蓋８が開き終わるときに、伝達ベルト２３の噛合歯部２４に噛み合う伝達歯部２５が設けられている。すなわち、この伝達歯部２５は、図７に示すように、鍵盤蓋８が閉じた状態のときに、連動歯車部２２の左下側に位置し、また図１０に示すように、鍵盤蓋８が開いた状態のときに、約１２０度回転移動して、連動歯車部２２の左上側に位置するように構成されている。
【００４６】
これにより、伝達ベルト２３は、図７に示すように、鍵盤蓋８が閉じた状態のとき、つまり鍵盤蓋８が閉じた状態から開き始めて、図７に２点鎖線で示すように所定角度（例えば約１０度）に開くまでのときに、連動歯車部２２の伝達歯部２５が伝達ベルト２３の噛合歯部２４に噛み合って、連動歯車部２２の回転をダンパー歯車部１６に伝達することにより、ダンパー部材１５によって連動歯車部２２の回転を制動させるように構成されている。
【００４７】
また、この伝達ベルト２３は、図１０に示すように、鍵盤蓋８が開いた状態のとき、つまり鍵盤蓋８が開いた状態から閉じ始めて、図１０に２点鎖線で示すようにほぼ垂直に起立するまでのときに、連動歯車部２２の伝達歯部２５が伝達ベルト２３の噛合歯部２４に噛み合って、連動歯車部２２の回転をダンパー歯車部１６に伝達することにより、ダンパー部材１５によって連動歯車部２２の回転を制動させるように構成されている。
【００４８】
さらに、この伝達ベルト２３は、鍵盤蓋８が閉じた状態から開き始めて所定角度（例えば約１０度）に開いた後に、鍵盤蓋８がほぼ垂直に起立するまでの間、および鍵盤蓋８が開いた状態から閉じ始めてほぼ垂直に起立した後に、鍵盤蓋８が所定角度（約１０度）に閉じるまでの間においては、図１１に示すように、連動歯車部２２の伝達歯部２５が伝達ベルト２３の噛合歯部２４に噛み合わずに空転することにより、ダンパー部材１５によって連動歯車部２２の回転を制動させず、鍵盤蓋８の開閉動作時に鍵盤蓋８に負荷を与えないように構成されている。
【００４９】
次に、このような鍵盤蓋８の蓋開閉装置２０の作用について説明する。
この場合においても、鍵盤蓋８を開いた状態から閉じる場合には、図１０に示すように、鍵盤蓋８の先端部（図１０では上端部）を手前側に引いて傾ける。このときには、連動歯車部２２の伝達歯部２５が左下側に位置して伝達ベルト２３の噛合歯部２４に噛み合い、この伝達ベルト２３の噛合歯部２４がダンパー部材１５のダンパー歯車部１６に噛み合っている。
【００５０】
この状態で、鍵盤蓋８の先端部（図１０では上端部）を引き下げて鍵盤蓋８を閉じる方向に傾けると、鍵盤蓋８がアーム部材１１の支持軸１２を中心に反時計回りに回転する。すると、アーム部材１１に設けられた連動歯車部２２も、鍵盤蓋８と共に支持軸１２を中心に反時計回りに回転する。このときには、連動歯車部２２の回転が伝達ベルと２３を介してダンパー部材１５のダンパー歯車部１６に伝達される。これにより、ダンパー部材１５によって連動歯車部２２に負荷が加わり、連動歯車部２２の回転が制動される。このため、鍵盤蓋８が閉じる方向に急激に回転することがなく、ゆっくり回転する。
【００５１】
そして、図１０に２点鎖線で示すように、鍵盤蓋８が閉じる方向に回転してほぼ垂直に起立すると、これに伴ってアーム部材１１が支持軸１２を中心に回転し、このアーム部材１１に設けられた連動歯車部２２も回転する。このため、連動歯車部２２の伝達歯部２５が反時計回りに回転移動し、この伝達歯部２５と伝達ベルト２３の噛合歯部２４との噛み合いが徐々に解除される。これにより、連動歯車部２２の回転がダンパー部材１５のダンパー歯車部１６に徐々に伝わり難くなり、連動歯車部２２に対するダンパー部材１５の負荷が徐々に軽減され、鍵盤蓋８がその自重によって回転を開始する。
【００５２】
この状態で鍵盤蓋８が更に回転して閉じるときには、図１１に示すように、連動歯車部２２の伝達歯部２５が伝達ベルト２３の噛合歯部２４に噛み合っていないため、ダンパー部材１５による負荷が伝達ベルト２３を介して連動歯車部２２に加わらず、鍵盤蓋８がその自重によって徐々に速く回転する。
【００５３】
この後、図７に示すように、鍵盤蓋８が完全に閉じる直前、つまり図７に２点鎖線で示すように鍵盤蓋８が約１０度に開いた状態になると、連動歯車部２２の伝達歯車２５が左下側に位置して伝達ベルト２３の噛合歯部２４に徐々に噛み合い、連動歯車部２２の回転がダンパー部材１５のダンパー歯車部１６に徐々に伝わる。このため、連動歯車部２２には、ダンパー部材１５によって負荷が徐々に加わることになるので、鍵盤蓋８を閉じる力が徐々に重くなり、鍵盤蓋８の閉じる動作が徐々に遅くなる。
【００５４】
そして、図７に示すように、鍵盤蓋８が完全に閉じる際には、連動歯車部２２にダンパー部材１５の負荷が十分に付与されることになり、これに伴って鍵盤蓋８を閉じる力も重くなるので、鍵盤蓋８がゆっくり閉じる。これにより、鍵盤蓋８が完全に閉じる際に、鍵盤蓋８が急激に回転することがないので、使用者が鍵盤蓋８によって手や指を挟んで怪我をする危険性が少なく、安全に鍵盤蓋８を閉じることができる。
【００５５】
また、鍵盤蓋８を閉じた状態から開く際には、図７に示すように、鍵盤蓋８の先端部（図７では左端部）を上に持ち上げる。このときには、連動歯車部２２の伝達歯部２５が左下側に位置して伝達ベルト２３の噛合歯部２４に噛み合っていると共に、この伝達ベルト２３の噛合歯部２４がダンパー部材１５のダンパー歯車部１６に噛み合っている。この状態で、鍵盤蓋８の先端部（図７では左端部）を持ち上げて鍵盤蓋８を開く方向に傾けると、鍵盤蓋８がアーム部材１１の支持軸１２を中心に時計回りに回転する。
【００５６】
このときには、アーム部材１１に設けられた連動歯車部２２も、鍵盤蓋８と共に支持軸１２を中心に時計回りに回転する。これにより、連動歯車部２２の回転が伝達ベルト２３を介してダンパー部材１５のダンパー歯車部１６に伝達され、このダンパー歯車部１６が連動歯車部２２と共に回転する。このため、ダンパー部材１５によって連動歯車部２２に負荷が加わり、連動歯車部２２の回転が制動されるので、鍵盤蓋８が開く方向に急激に回転することがなく、ゆっくり回転する。
【００５７】
そして、図７に２点鎖線で示すように、鍵盤蓋８が開く方向に回転して約１０度の角度に開いた状態になると、連動歯車部２２の伝達歯部２５と伝達ベルト２３の噛合歯部２４との噛み合いが徐々に解除される。このため、連動歯車部２２の回転が伝達ベルト２３を介してダンパー部材１５のダンパー歯車部１６に徐々に伝わり難くなる。これにより、連動歯車部１３に対するダンパー部材１５の負荷が徐々に軽減され、鍵盤蓋８がその自重に抗して持ち上げられると、回転を開始する。
【００５８】
この状態で鍵盤蓋８が更に回転して開く際には、図１１に示すように、連動歯車部２２の伝達歯部２５が伝達ベルト２３の噛合歯部２４に噛み合っていないため、ダンパー部材１５による負荷が伝達ベルト２３を介して連動歯車部２２に加わらず、鍵盤蓋８がその自重に抗して持ち上げられることにより、円滑に回転する。
【００５９】
この後、図１０に示すように、鍵盤蓋８が完全に開ききる直前、つまり鍵盤蓋８がほぼ垂直に起立した状態になると、連動歯車部２２の伝達歯車２５が左上側に位置して伝達ベルト２３の噛合歯部２４に徐々に噛み合う。このため、連動歯車部２２には、伝達ベルト２３を介してダンパー部材１５による負荷が徐々に加わることになるので、鍵盤蓋８を開く力が徐々に重くなり、鍵盤蓋８の開く動作が徐々に遅くなる。
【００６０】
そして、図１０に示すように、鍵盤蓋８が完全に開く際には、ダンパー部材１５の負荷が連動歯車部２２に十分に加わり、これに伴って鍵盤蓋８を開く力も重くなるので、鍵盤蓋８がゆっくり開く。これにより、鍵盤蓋８が完全に開く際にも、鍵盤蓋８が急激に回転することがなく、安全に鍵盤蓋８を開くことができる。
【００６１】
このように、この鍵盤蓋８の蓋開閉装置２０によれば、楽器ケース１に鍵盤蓋８を開閉可能に取り付けるための支持軸１２を中心に鍵盤蓋８と共に回転する連動歯車部２２の回転を、ダンパー部材１５のダンパー歯車部１６に伝達する伝達機構部２１が、鍵盤蓋８の閉じ終わるときおよび鍵盤蓋８の開き終わるときに、連動歯車部２２の回転をダンパー部材１５のダンパー歯車部１６に伝達するように構成されていることにより、実施形態１と同様、鍵盤蓋８の開閉操作性が良く、安全に鍵盤蓋８を開閉することができる。
【００６２】
すなわち、この鍵盤蓋８の蓋開閉装置２０においても、実施形態１と同様、鍵盤蓋８が開閉する際において、鍵盤蓋８が閉じ終わるときにダンパー部材１５によって鍵盤蓋８の回転動作を制動することができると共に、鍵盤蓋８が開き終わるときにもダンパー部材１５によって鍵盤蓋８の回転動作を制動することができる。このため、鍵盤蓋８が閉じ終わるときおよび鍵盤蓋８が開き終わるときに、鍵盤蓋８をゆっくり回転させることができるので、鍵盤蓋８の開閉操作性が良く、鍵盤蓋８で手や指を挟んで怪我をすることがなく、安全に鍵盤蓋８を開閉することができる。
【００６３】
この場合、連動歯車部２２の回転をダンパー部材１５のダンパー歯車部１６に伝達する伝達機構部２１は、連動歯車部２２とダンパー歯車部１６とに巻回されて連動歯車部２２とダンパー歯車部１６とに噛み合う噛合歯部２４を有する伝達ベルト２３を備え、連動歯車部２２の所定箇所には、鍵盤蓋８が閉じ終わるときおよび鍵盤蓋８が開き終わるときに、伝達ベルト２３の噛合歯部２４に噛み合う伝達歯部２５が設けられている構成であることにより、鍵盤蓋８が閉じ終わるときおよび鍵盤蓋８が開き終わるときに、ダンパー部材１５によって連動歯車部２２の回転を確実に制動することができる。
【００６４】
すなわち、鍵盤蓋８を閉じる際において、鍵盤蓋８が閉じ終わるときには、連動歯車部２２に設けられた伝達歯部２５が伝達ベルト２３の噛合歯部２４に噛み合い、この伝達ベルト２３の噛合歯部２４がダンパー部材１５のダンパー歯車部１６に噛み合っていることにより、鍵盤蓋８が閉じ終わるときにダンパー部材１５によって連動歯車部２２の回転を確実に制動して、鍵盤蓋８をゆっくり回転させて閉じることができる。これにより、鍵盤蓋８の開閉操作性が良く、安全に鍵盤蓋８を閉じることができる。
【００６５】
また、鍵盤蓋８が開き終わるときには、連動歯車部２２に設けられた伝達歯部２５が伝達ベルト２３の噛合歯部２４に噛み合い、この伝達ベルト２３の噛合歯部２４がダンパー部材１５のダンパー歯車部１６に噛み合っていることにより、鍵盤蓋８が開ききるときにダンパー部材１５によって連動歯車部２２の回転を確実に制動して、鍵盤蓋８をゆっくり回転させて開くことができる。これにより、鍵盤蓋８の開閉操作性が良く、安全に鍵盤蓋８を開くことができる。
【００６６】
（実施形態３）
次に、図１２〜図１６を参照して、この発明を鍵盤楽器に適用した実施形態３について説明する。この場合には、図７〜図１１に示された実施形態２と同一部分に同一符号を付して説明する。
この鍵盤楽器は、図１２〜図１４に示すように、蓋開閉装置３０の連動歯車部３１が実施形態２と異なる構成であると共に、この連動歯車部３１の回転をダンパー部材１５のダンパー歯車部１６に伝達する伝達機構部３２が実施形態２と異なる構成であり、これ以外は実施形態２とほぼ同じ構成になっている。
【００６７】
すなわち、この連動歯車部３１は、図１２および図１３に示すように、全体がほぼ円形状に形成され、その外周面に歯部３１ａが連続して形成されている。この場合にも、連動歯車部３１は、その回転中心部に支持軸１２が設けられ、この支持軸１２が楽器ケース１の側板２に回転可能に取り付けられていることにより、鍵盤蓋８が開閉する際に、アーム部材１１と共に支持軸１２を中心に回転するように構成されている。
【００６８】
伝達機構部３２は、図１２〜図１５に示すように、鍵盤蓋８が閉じ終わるときおよび鍵盤蓋８が開き終わるときに、連動歯車部３１の回転をダンパー部材１５のダンパー歯車部１６に伝達する伝達ベルト３３を備えている。この伝達ベルト３３は、耐摩耗性を有する材料からなり、図１２および図１４に示すように、連動歯車部３１に常に噛み合う第１の伝達歯部３４と、鍵盤蓋８が閉じ終わる状態のときに、ダンパー歯車部１６に噛み合う第２の伝達歯部３５と、鍵盤蓋８が開き終わる状態のときに、ダンパー歯車部１６に噛み合う第３の伝達歯部３６とを備えている。
【００６９】
これにより、伝達ベルト３３は、図１２に示すように、鍵盤蓋８が閉じた状態のとき、つまり鍵盤蓋８が閉じた状態から開き始めて、図１２に２点鎖線で示すように所定角度（例えば約１０度）に開くまでのときに、連動歯車部３１が伝達ベルト３３の第１の伝達歯部３４に噛み合った状態で、伝達ベルト３３の第２の伝達歯部３５がダンパー歯車部１６に噛み合うことにより、連動歯車部３１の回転をダンパー歯車部１６に伝達して、ダンパー部材１５によって連動歯車部３１の回転を制動させるように構成されている。
【００７０】
また、この伝達ベルト３３は、図１５に示すように、鍵盤蓋８が開いた状態のとき、つまり鍵盤蓋８が開いた状態から閉じ始めて、図１５に２点鎖線で示すようにほぼ垂直に起立するまでのときに、連動歯車部３１に伝達ベルト３３の第１の伝達歯部３４に噛み合った状態で、伝達ベルト３３の第３の伝達歯部３６がダンパー歯車部１６に噛み合うことにより、連動歯車部３１の回転をダンパー歯車部１６に伝達して、ダンパー部材１５によって連動歯車部３１の回転を制動させるように構成されている。
【００７１】
さらに、この伝達ベルト３３は、鍵盤蓋８が閉じた状態から開き始めて所定角度（例えば約１０度）に開いた後に、鍵盤蓋８がほぼ垂直に起立するまでの間、および鍵盤蓋８が開いた状態から閉じ始めてほぼ垂直に起立した後に、鍵盤蓋８が所定角度（約１０度）に閉じるまでの間においては、図１６に示すように、連動歯車部３１が伝達ベルト３３の第１の伝達歯部３３に噛み合っていても、伝達ベルト３３の第２、第３の各伝達歯部３５、３６のいずれもがダンパー歯車部１６に噛み合わずに空転することにより、ダンパー部材１５によって鍵盤蓋８の開閉動作を制動させず、鍵盤蓋８の開閉動作に負荷を与えないように構成されている。
【００７２】
次に、このような鍵盤蓋８の蓋開閉装置３０の作用について説明する。
この場合においても、鍵盤蓋８を開いた状態から閉じる場合には、図１５に示すように、鍵盤蓋８の先端部（図１５では上端部）を手前側に引いて傾ける。このときには、連動歯車部３１が伝達ベルト３３の第１の伝達歯部３４に噛み合い、この伝達ベルト３３の第３の伝達歯部３６がダンパー部材１５のダンパー歯車部１６に噛み合っている。
【００７３】
この状態で、鍵盤蓋８の先端部（図１５では上端部）を引き下げて鍵盤蓋８を閉じる方向に傾けると、鍵盤蓋８がアーム部材１１の支持軸１２を中心に反時計回りに回転する。すると、アーム部材１１に設けられた連動歯車部３１も、鍵盤蓋８と共に支持軸１２を中心に反時計回りに回転し、この回転が伝達ベルト３３を介してダンパー部材１５のダンパー歯車部１６に伝達される。これにより、ダンパー部材１５によって連動歯車部３１に負荷が加わり、連動歯車部３１の回転が制動される。このため、鍵盤蓋８が閉じる方向に急激に回転することがなく、ゆっくり回転する。
【００７４】
そして、図１５に２点鎖線で示すように、鍵盤蓋８が閉じる方向に回転してほぼ垂直に起立すると、これに伴ってアーム部材１１が支持軸１２を中心に回転し、このアーム部材１１に設けられた連動歯車部３１も回転する。このときには、ダンパー歯車部１６に対する伝達ベルト３３の第３の伝達歯部３６の噛み合いが徐々に解除される。このため、連動歯車３１の回転がダンパー部材１５のダンパー歯車部１６に徐々に伝わり難くなり、連動歯車部３１に対するダンパー部材１５の負荷が徐々に軽減され、鍵盤蓋８がその自重によって回転を開始する。
【００７５】
この状態で鍵盤蓋８が更に回転して閉じるときには、図１６に示すように、伝達ベルト３３の第２、第３の各伝達歯部３５、３６のいずれもが、ダンパー歯車部１６に噛み合っていないため、ダンパー部材１５による負荷が伝達ベルト３３を介して連動歯車部３１に加わらず、鍵盤蓋８がその自重によって徐々に速く回転する。
【００７６】
この後、図１２に示すように、鍵盤蓋８が完全に閉じる直前、つまり図１２に２点鎖線で示すように鍵盤蓋８が約１０度に開いた状態になると、伝達ベルト３３の第２の伝達歯部３５がダンパー歯車部１６に徐々に噛み合い、連動歯車部３１の回転がダンパー部材１５のダンパー歯車部１６に徐々に伝わる。このため、連動歯車部３１には、ダンパー部材１５によって負荷が徐々に加わることになるので、鍵盤蓋８を閉じる力が徐々に重くなり、鍵盤蓋８の閉じる動作が徐々に遅くなる。
【００７７】
そして、図１２に示すように、鍵盤蓋８が完全に閉じる際には、連動歯車部３１にダンパー部材１５の負荷が十分に付与されることになり、これに伴って鍵盤蓋８を閉じる力も重くなるので、鍵盤蓋８がゆっくり閉じる。これにより、鍵盤蓋８が完全に閉じる際に、鍵盤蓋８が急激に回転することがないので、使用者が鍵盤蓋８によって手や指を挟んで怪我をする危険性が少なく、安全に鍵盤蓋８を閉じることができる。
【００７８】
また、鍵盤蓋８を閉じた状態から開く際には、図１２に示すように、鍵盤蓋８の先端部（図１２では左端部）を上に持ち上げる。このときには、連動歯車部３１が伝達ベルト３３の第１の伝達歯部３４に噛み合っていると共に、この伝達ベルト３３の第２の伝達歯部３５がダンパー部材１５のダンパー歯車部１６に噛み合っている。この状態で、鍵盤蓋８の先端部（図１２では左端部）を持ち上げて鍵盤蓋８を開く方向に傾けると、鍵盤蓋８がアーム部材１１の支持軸１２を中心に時計回りに回転する。
【００７９】
このときには、アーム部材１１に設けられた連動歯車部３１も、鍵盤蓋８と共に支持軸１２を中心に時計回りに回転する。このため、連動歯車部３１の回転が伝達ベルト３３を介してダンパー部材１５のダンパー歯車部１６に伝達される。これにより、ダンパー部材１５によって連動歯車部３１に負荷が加わり、連動歯車部３１の回転が制動される。このため、鍵盤蓋８が開く方向に急激に回転することがなく、ゆっくり回転する。
【００８０】
そして、図１２に２点鎖線で示すように、鍵盤蓋８が開く方向に回転して約１０度の角度に開いた状態になると、伝達ベルト３３の第２の伝達歯部３５とダンパー歯車部１６との噛み合いが徐々に解除される。このため、連動歯車部３１の回転が伝達ベルト３３を介してダンパー部材１５のダンパー歯車部１６に徐々に伝わり難くなる。これにより、連動歯車部３１に対するダンパー部材１５の負荷が徐々に軽減され、鍵盤蓋８がその自重に抗して持ち上げられると、回転を開始する。
【００８１】
この状態で鍵盤蓋８が更に回転して開く際には、図１６に示すように、伝達ベルト３３の第２、第３の各伝達歯部３５、３６のいずれもがダンパー歯車部１６に噛み合っていないため、ダンパー部材１５による負荷が伝達ベルト３３を介して連動歯車部３１に加わらず、鍵盤蓋８がその自重に抗して持ち上げられることにより、円滑に回転する。
【００８２】
この後、図１５に示すように、鍵盤蓋８が完全に開ききる直前、つまり図１５に２点鎖線で示すように鍵盤蓋８がほぼ垂直に起立した状態になると、伝達ベルト３３の第３の伝達歯部３６がダンパー歯車部１６に徐々に噛み合う。このため、連動歯車部３１には、ダンパー部材１５による負荷が徐々に加わることになるので、鍵盤蓋８を開く力が徐々に重くなり、鍵盤蓋８の開く動作が徐々に遅くなる。
【００８３】
そして、図１５に示すように、鍵盤蓋８が完全に開く際には、連動歯車部３１にダンパー部材１５の負荷が十分に付与されることになり、これに伴って鍵盤蓋８を開く力が重くなり、鍵盤蓋８がゆっくり開く。これにより、鍵盤蓋８が完全に開く際に、鍵盤蓋８が急激に回転することがないので、安全に鍵盤蓋８を開くことができる。
【００８４】
このように、この鍵盤蓋８の蓋開閉装置３０においても、楽器ケース１に鍵盤蓋８を開閉可能に取り付けるための支持軸１２を中心に鍵盤蓋８と共に回転する連動歯車部３１の回転を、ダンパー部材１５のダンパー歯車部１６に伝達する伝達機構部３２が、鍵盤蓋８の閉じ終わるときおよび鍵盤蓋８の開き終わるときに、連動歯車部３１の回転をダンパー部材１５のダンパー歯車部１６に伝達するように構成されていることにより、実施形態１、２と同様、鍵盤蓋８の開閉操作性が良く、安全に鍵盤蓋８を開閉することができる。
【００８５】
すなわち、この蓋開閉装置３０においても、実施形態１、２と同様、鍵盤蓋８が開閉する際において、鍵盤蓋８が閉じ終わるときにダンパー部材１５によって鍵盤蓋８の回転動作を制動することができると共に、鍵盤蓋８が開き終わるときにもダンパー部材１５によって鍵盤蓋８の回転動作を制動することができる。このため、鍵盤蓋８が閉じ終わるときおよび鍵盤蓋８が開き終わるときに、鍵盤蓋８をゆっくり回転させることができるので、鍵盤蓋８の開閉操作性が良く、鍵盤蓋８で手や指を挟んで怪我をすることがなく、安全に鍵盤蓋８を開閉することができる。
【００８６】
この場合、連動歯車部３１の回転をダンパー部材１５のダンパー歯車部１６に伝達する伝達機構部３２は、連動歯車部３１とダンパー歯車部１６とに巻回されて連動歯車部３１の回転をダンパー歯車部１６に伝達する伝達ベルト３３を有し、この伝達ベルト３３は、連動歯車部３１に常に噛み合う第１の伝達歯部３４と、鍵盤蓋８が閉じ終わるときおよび鍵盤蓋８が開き終わるときに、ダンパー歯車部１６に噛み合う第２、第３の伝達歯部３５、３６とを備えた構成であることにより、鍵盤蓋８が閉じ終わるときおよび鍵盤蓋８が開き終わるときに、ダンパー部材１５によって連動歯車部３１の回転を確実に制動することができる。
【００８７】
すなわち、鍵盤蓋８を閉じる際において、鍵盤蓋８が閉じ終わるときには、連動歯車部３１が伝達ベルト３３の第１の伝達歯部３４に噛み合った状態で、この伝達ベルト３３の第２の伝達歯部３５がダンパー部材１５のダンパー歯車部１６に噛み合っていることにより、鍵盤蓋８が閉じ終わるときにダンパー部材１５によって連動歯車部３１の回転を確実に制動して、鍵盤蓋８をゆっくり回転させて閉じることができる。これにより、鍵盤蓋８の開閉操作性が良く、安全に鍵盤蓋８を閉じることができる。
【００８８】
また、鍵盤蓋８が開き終わるときには、連動歯車部３１が伝達ベルト３３の第１の伝達歯部３４が噛み合った状態で、この伝達ベルト３３の第３の伝達歯部３４がダンパー部材１５のダンパー歯車部１６に噛み合っていることにより、鍵盤蓋８が開ききるときにダンパー部材１５によって連動歯車部３１の回転を確実に制動して、鍵盤蓋８をゆっくり回転させて開くことができる。これにより、鍵盤蓋８の開閉操作性が良く、安全に鍵盤蓋８を開くことができる。
【００８９】
なお、上述した実施形態１〜３では、鍵盤楽器の鍵盤蓋８に適用した場合について述べたが、必ずしも鍵盤楽器の鍵盤蓋８である必要はなく、例えば音響機器などの各種の電子機器の蓋体にも広く適用することができる。
【符号の説明】
【００９０】
１  楽器ケース
６  鍵盤部
８  鍵盤蓋
１０、２０、３０  蓋開閉装置
１１  アーム部材
１２  支持軸
１３、２２、３１  連動歯車部
１３ａ、１３ｂ  第１、第２の伝達歯部
１４、２１、３２  伝達機構部
１５  ダンパー部材
１６  ダンパー歯車部
２３、３３  伝達ベルト
２４  噛合歯部
２５  伝達歯部
３４  第１の伝達歯部
３５  第２の伝達歯部
３６  第３の伝達歯部
【図１】
0005692630.tif 000002
【図２】
0005692630.tif 000003
【図３】
0005692630.tif 000004
【図４】
0005692630.tif 000005
【図５】
0005692630.tif 000006
【図６】
0005692630.tif 000007
【図７】
0005692630.tif 000008
【図８】
0005692630.tif 000009
【図９】
0005692630.tif 000010
【図１０】
0005692630.tif 000011
【図１１】
0005692630.tif 000012
【図１２】
0005692630.tif 000013
【図１３】
0005692630.tif 000014
【図１４】
0005692630.tif 000015
【図１５】
0005692630.tif 000016
【図１６】
0005692630.tif 000017